(57)【要約】【課題】メモリの着脱のタイミングの指示と連動してメモリの着脱を物理的に規制することができるインターフェイスを備えたデータ処理装置を提供すること。【解決手段】複合機１０（データ処理装置）は、メモリ装着部４と、メモリに関するデータ処理についての操作を促す指示をすると共にユーザの操作を受け付ける操作指示部２ｉと、操作指示部２ｉからの入力操作に従ってデータ処理を実行するデータ処理部と、メモリ装着部４を覆うカバー部３とを有し、カバー部３の開放状態においてのみメモリ装着部４に対するメモリの着脱及び操作指示部２ｉからの入力操作が可能であり、メモリ着脱検出部がメモリの装着を検出し、カバー部３が閉鎖状態にされるとデータ処理部が入力操作に従ったデータ処理を実行する。【選択図】図２Ａ
2008167185.tif 000002
【特許請求の範囲】
【請求項１】
記録媒体装着部と、
前記記録媒体装着部に対する記録媒体の着脱を検出する着脱検出部と、
記録媒体に関するデータ処理についての操作を促す指示をすると共にユーザの操作を受け付ける操作指示部と、
前記操作指示部からの入力操作に従ってデータ処理を実行するデータ処理部と、
前記記録媒体装着部を覆うカバー部とを有し、
前記カバー部の開放状態においてのみ前記記録媒体装着部に対する記録媒体の着脱及び前記操作指示部からの入力操作が可能であり、
前記着脱検出部が記録媒体の装着を検出し、前記カバー部が閉鎖状態にされると前記データ処理部が前記入力操作に従ったデータ処理を実行することを特徴とするデータ処理装置。
【請求項２】
前記カバー部は、前記記録媒体装着部及び前記操作指示部を覆うことを特徴とする請求項１に記載のデータ処理装置。
【請求項３】
前記カバー部の上面又は前記カバー部の近傍に前記データ処理装置の操作案内情報を表示する案内表示部を備えることを特徴とする請求項１又は２に記載のデータ処理装置。
【請求項４】
前記カバー部の閉鎖状態を保持するロック装置を有し、前記案内表示部は、前記ロック装置の操作を促す操作案内情報を表示することを特徴とする請求項３に記載のデータ処理装置。
【請求項５】
前記案内表示部は、前記データ処理装置のデータ処理の進行状況を表示することを特徴とする請求項３に記載のデータ処理装置。
【請求項６】
前記案内表示部は、前記データ処理装置のデータ処理の完了に伴い、前記カバー部の開放、前記記録媒体の抜き取り等の操作案内情報を表示することを特徴とする請求項３に記載のデータ処理装置。
【請求項７】
前記案内表示部は、前記記録媒体装着部に記録媒体が装着されているか否かの情報を表示することを特徴とする請求項３に記載のデータ処理装置。
【発明の詳細な説明】
【技術分野】
【０００１】
本発明は、可搬性の記録媒体に係るデータに所定の処理を施すデータ処理装置に関する。
【背景技術】
【０００２】
近年、可搬性の記録媒体（以下、単にメモリと記す）を利用する機会が増えている。例えば、デジタルカメラ等で撮影した画像データをメモリに記録し、該画像データをコンビニ等の店舗に設置されたデータ処理装置を用いて印刷（プリント処理）するような場合である。
このとき、ユーザは、メモリをデータ処理装置に装着した後、メモリ内の画像等の記録データをデータ処理装置に設けられた表示装置に表示させ、プリントする画像データを選択する。
【０００３】
しかし、メモリをデータ処理装置に装着した後、メモリ内のデータをデータ処理装置に転送している間（データアクセス中）に、ユーザがメモリを抜き取ってしまうと、メモリや記録されているデータ等が破壊される可能性がある。
そこで、データアクセス中にメモリを抜き取ってもデータを保護することができるメモリカードの保護装置が提案されている（特許文献１参照）。
【０００４】
一方、メモリに記録されたデータをプリントする場合には、ユーザの操作性を向上させるために、メモリ着脱のタイミングの指示、データの選択指示、印刷指示等の操作情報（ガイダンス画面）を表示装置に順次表示する必要がある。
このような形態で使用されるデータ処理装置の表示装置の例として、例えば、特許文献２に記載の複合機（画像形成装置）における表示装置のように、複合機の傍に別途大型表示装置を設け、この大型表示装置に画像データ,ガイダンス情報を表示させて、操作性を向上させているものがある。
【特許文献１】特開２０００−１１３６６３号公報
【特許文献２】特開２０００−１３２０１０号公報
【発明の開示】
【発明が解決しようとする課題】
【０００５】
特許文献１に開示された技術を利用すれば、データアクセス中にメモリを抜き取ることによるデータの破壊を防ぐことができる。しかし、データ処理装置（複合機）にかかる装置を設置するとデータ処理装置の製造価格が上昇してしまうので、単にデータの破壊を防ぐことを目的としてかかる装置をデータ処理装置に設置することはできない。
【０００６】
また、プリント処理を実行する場合には、前述したように、メモリ着脱のタイミングを指示する以外にも様々な操作情報を順次表示する必要がある。しかし、単に操作情報を表示させるだけでは、特にコンビニ等でデータ処理装置を利用するユーザは、操作に不慣れであることが多いため、メモリ着脱のタイミングを指示する操作情報が表示されていても誤ってデータアクセス中にメモリを抜いてしまい、記録されているデータが破壊される可能性がある。そこで、メモリの着脱のタイミングの指示と連動してデータアクセス中にメモリの着脱を物理的に規制する必要がある。
【０００７】
さらに、プリント処理が終了した後に、ユーザが装着したメモリを抜き忘れてしまう可能性がある。このような、ユーザ固有の情報（画像データ）が記録されたメモリを抜き忘れた場合には、個人情報等のユーザ固有の情報が流出する危険がある。そこで、プリント処理終了後、装着したメモリを抜き忘れないようにユーザに指示する必要がある。
【０００８】
本発明は、かかる実情に鑑みてなされたものであり、メモリの着脱のタイミングを指示すると共に、ユーザの一連の操作と連動してメモリの着脱を物理的に規制することができるインターフェイスを備えたデータ処理装置を提供することを目的とする。
【課題を解決するための手段】
【０００９】
第１の技術手段は、記録媒体装着部と、前記記録媒体装着部に対する記録媒体の着脱を検出する着脱検出部と、記録媒体に関するデータ処理についての操作を促す指示をすると共にユーザの操作を受け付ける操作指示部と、前記操作指示部からの入力操作に従ってデータ処理を実行するデータ処理部と、前記記録媒体装着部を覆うカバー部とを有し、前記カバー部の開放状態においてのみ前記記録媒体装着部に対する記録媒体の着脱及び前記操作指示部からの入力操作が可能であり、前記着脱検出部が記録媒体の装着を検出し、前記カバー部が閉鎖状態にされると前記データ処理部が前記入力操作に従ったデータ処理を実行することを特徴とするデータ処理装置である。
【００１０】
第２の技術手段は、第１の技術手段において、前記カバー部は、前記記録媒体装着部及び前記操作指示部を覆うことを特徴とするものである。
【００１１】
第３の技術手段は、第１又は第２の技術手段において、前記カバー部の上面又は前記カバー部の近傍に前記データ処理装置の操作案内情報を表示する案内表示部を備えることを特徴とするものである。
【００１２】
第４の技術手段は、第３の技術手段において、前記カバー部の閉鎖状態を保持するロック装置を有し、前記案内表示部は、前記ロック装置の操作を促す操作案内情報を表示することを特徴とするものである。
【００１３】
第５の技術手段は、第３の技術手段において、前記案内表示部は、前記データ処理装置のデータ処理の進行状況を表示することを特徴とするものである。
【００１４】
第６の技術手段は、第３の技術手段において、前記案内表示部は、前記データ処理装置のデータ処理の完了に伴い、前記カバー部の開放、前記記録媒体の抜き取り等の操作案内情報を表示することを特徴とするものである。
【００１５】
第７の技術手段は、第３の技術手段において、前記案内表示部は、前記記録媒体装着部に記録媒体が装着されているか否かの情報を表示することを特徴とするものである。
【発明の効果】
【００１６】
本発明により、データアクセス中にメモリを抜き取ることによるメモリ及びメモリ内のデータの破壊を防止することができる。
【発明を実施するための最良の形態】
【００１７】
図１は、コンビニ等に設置される複合機１０の外観を示した図である。
複合機１０は、原稿読み取り機能（スキャン機能）、読み取った原稿を印刷する機能（コピー機能）、メモリに記録されたデータを印刷する機能（プリント機能）、複合機１０に転送されたデータをメモリに記録するメモリダウンロード機能、読み取った（スキャン）原稿データをメモリにコピーするスキャンメモリコピー機能、ファクシミリ機能、電子メール送受信機能のうち少なくとも２つ以上の機能を有している。
以下に、このような複合機に本発明に係るデータ処理装置の機能を装備させた場合の実施例を説明する。
【００１８】
１０ａは、複合機１０を操作する際に参照されるガイダンス（操作案内）情報や、例えば、紙詰まり等の複合機１０の状態を示す状態情報等を表示する第１の表示装置である。
１０ｂは、複合機１０に原稿を供給する自動原稿給送装置である。
１０ｃは、原稿を複合機１０にセットする際に開閉する原稿押えである。
１０ｄは、本発明に係るデータ処理装置の操作情報等を表示する第２の表示装置である。
【００１９】
図２Ａ（ａ）は、第２の表示装置１０ｄの拡大図である。第２の表示装置１０ｄは、上面に案内表示部１ｄを設けたカバー部３を有し、該カバー部３（案内表示部１ｄ）を開いた状態で操作可能となる操作指示部２ｉ（図２Ａ（ｂ））を具備する。前記案内表示部１ｄには本発明に係るデータ処理装置のガイダンス情報等を表示する。なお、図ではカバー部３は閉じられている（閉鎖状態）。
【００２０】
図２Ａ（ｂ）は、図示しないヒンジ機構により開閉可能となるカバー部３を開いた状態（開放状態）を示した図である。
カバー部３を開くと、操作キー２ｏ,表示パネル２ｐを備えた操作パネルを形成する操作指示部２ｉ,メモリ装着部４が現れる。操作キー２ｏは、データ処理に対する各種操作指示を入力するキー類であり、表示パネル２ｐにはそれらデータ処理の入力操作や記録媒体の着脱等のタイミング等を指示する操作情報（操作指示）、プリントする画像等のデータの選択指示等が表示される。
【００２１】
また、操作指示部２ｉは、後述するメモリ（可搬性の記録媒体）に関するデータ処理、すなわちメモリ内の記録データ又はメモリに記録するデータの処理についてのユーザの操作を促す指示をすると共に、ユーザの操作を受け付ける。ユーザは、操作指示部２ｉを介して後述するようにプリント機能,スキャンメモリコピー機能,メモリダウンロード機能等のデータ処理を実行するように指示することができる。
【００２２】
４ａ〜４ｃは、それぞれＭＳ（Ｍｅｍｏｒｙ  Ｓｔｉｃｋ：登録商標）、ＳＤ（Ｓｅｃｕｒｅ  Ｄｉｇｉｔａｌ  Ｍｅｍｏｒｙ  Ｃａｒｄ：登録商標）、ＣＦ（Ｃｏｍｐａｃｔ  Ｆｌａｓｈ：登録商標）等のメモリを装着するための装着部である。
【００２３】
図からも明らかなように、カバー部３の開放状態においてのみメモリ装着部４に対するメモリの着脱及び操作指示部２ｉからの入力操作が可能である。
【００２４】
このように、案内表示部１ｄの直下に操作キー２ｏ,表示パネル２ｐが配設されている。そのため、ユーザがカバー部３を開ければ、視線を大きく移動させることなく、操作キー２ｏ,表示パネル２ｐを見ることができるので、ユーザの視認性及び操作性が向上する。
【００２５】
なお、案内表示部１ｄは、カバー部３の上面だけでなくカバー部３の近傍に配設されていてもよい。また、第１の表示装置１０ａに案内情報を表示させてもよい。また、図示のように、カバー部３は、メモリ装着部４及び操作指示部２ｉを覆うように配設されているが、メモリ装着部４のみを覆うように配設してもよい。また、カバー部３が閉鎖状態の場合だけ、案内表示部１ｄが動作するようにすれば、消費する電力が少なくなる（省電化）。
【００２６】
ここで、複合機１０の各種機能についてブロック図を用いて説明する。
図３は、複合機１０のブロック構成図である。
第１の表示装置１０ａは、液晶パネルから構成されている。
第２の表示装置１０ｄは、液晶パネルから構成される案内表示部１ｄと,十字キー等から構成される操作キー２ｏ、及び、液晶パネルから構成される表示パネル２ｐを形成する操作指示部２ｉからなる。
【００２７】
メモリ装着部４は、メモリ２０が装着され、メモリ２０がユーザにより着脱されたことを制御部１５に通知するメモリ着脱検出部４ｄを備えている。
【００２８】
また、メモリ着脱検出部４ｄがメモリ２０の着脱を検出すると、制御部１５は、第１の表示装置１０ａ等にメモリ２０が着脱されたことを示す情報を表示する。
【００２９】
なお、前述したように、ＭＳ４ａ（ＳＤ４ｂ，ＣＦ４ｃ）は、ＭＳ（ＳＤ，ＣＦ）等のメモリ装着部である。
【００３０】
カバー開閉検出部５は、カバー部３が開閉されたことを検出し、検出結果を制御部１５に通知する。
【００３１】
データ処理部１１は、操作指示部２ｉからの入力操作に従って、メモリ２０に記録されたデータの印刷処理を実行するプリント部１１ａ、原稿を読み取り（スキャン）、電子データに変換する処理を実行するスキャン部１１ｂ、インターネット等を介して複合機１０に転送されたデータをメモリ２０にダウンロードする処理を実行するメモリダウンロード部１１ｃ、スキャン部１１ｂにて変換された電子データ（スキャンデータ）をメモリ２０に記録する処理を実行するスキャンメモリコピー部１１ｄ、スキャン部１１ｂにてスキャンしたデータを印刷するコピー部１１ｅ、いわゆるファクシミリ処理を実行するファックス部１１ｆ、電子メールの送受信処理を実行する電子メール送受信部１１ｇから構成される。
【００３２】
また、メモリ着脱検出部４ｄがメモリ２０の装着を検出し、図２Ｃ（ｅ）に示すようにユーザがカバー部３を閉じると（カバー部３が閉鎖状態）、データ処理部１１は、操作指示部２ｉからの入力操作に従ったデータ処理を実行する。
【００３３】
ＨＤＤ１２は、複合機１０に転送されたデータ及び受信した電子メールデータ等を記録する、大容量記録装置である。
【００３４】
ＲＡＭ１３は、各種制御データ等を一時的に格納する。
ＲＯＭ１４は、後述するガイダンス情報（操作案内情報）等のＯＳＤデータを格納する。
【００３５】
制御部１５は、ＲＯＭ１４に記録されたガイダンス情報等のＯＳＤデータを案内表示部１ｄ,表示パネル２ｐ等に表示する処理、及び、前述した機能ブロックを制御する処理を実行する。
なお、図中の太線Ｂは、データバスである。
【００３６】
次に、ユーザが複合機１０を操作する様子を図２Ａ〜図２Ｄに示した複合機１０に備わっている第２の表示装置１０ｄの状況を示す図、及び、複合機１０の各種機能を使用する際に、実行される処理を図４Ａ〜図４Ｄに示したフロー図を用いて説明する。
また、上記処理を実行する際に、案内表示部１ｄ及び表示パネル２ｐに表示されるガイダンス画面について図５Ａ〜図５Ｊを参照しながら説明する。
【００３７】
図４Ａは、ユーザが複合機の各種機能を選択する処理を説明するためのフロー図である。
ユーザが複合機１０に近づくと、複合機の機能を選択するようにユーザに要求するガイダンス画面（図５Ａ（ａ））が案内表示部１ｄ（又は第１の表示装置１０ａ）に表示される（ステップＳ１）。
ユーザがガイダンス画面（図５Ａ（ａ））からデジタル画像プリント、メモリダウンロード、スキャンメモリコピーのいずれかを選択すると制御部１５は、選択に従った処理を実行する。
なお、ガイダンス画面（図５Ａ（ａ））に示したコピー（機能）は、複合機１０としての機能であり、本発明のデータ処理装置に固有の機能ではない。
【００３８】
（プリント処理）
ここで、メモリ２０に記録されている画像データを複合機１０にてプリントする処理を図４Ｂのフロー図を用いて説明する。
図４Ｂは、プリント処理時に表示されるガイダンス画面及びユーザの操作を説明するためのフロー図である。
案内表示部１ｄに表示されたガイダンス画面（図５Ａ（ａ））からデジタル画像プリントを選択すると（図４ＡのステップＳ２：プリント処理を選択）、制御部１５は、カバー部３を開いて、メモリ２０を複合機１０のメモリ装着部４に装着するように指示するガイダンス画面（図５Ａ（ｂ））を案内表示部１ｄに表示する（ステップＳ２０１）。
【００３９】
次に、図２Ａ（ｂ）に示すように、ユーザがカバー部３を開けると（ステップＳ２０２）、カバー開閉検出部５は、カバー部３が開かれたことを検出し、制御部１５は、表示パネル２ｐの表示動作をオンにして、メモリ２０をメモリ装着部４に装着するように指示するガイダンス画面（図５Ｂ（ｃ））を表示パネル２ｐに表示する（ステップＳ２０３）。同時に、案内表示部１ｄの表示動作を中止（オフ）する。
なお、カバー部３を開く操作は、処理の選択と連動させて自動化してもよい。
【００４０】
次に、図２Ｂ（ｃ）に示すように、ユーザがメモリ２０をメモリ装着部４に装着すると（ステップＳ２０４）、メモリ着脱検出部４ｄがメモリ２０の装着を検出し、制御部１５は、メモリ２０（ＳＤ）の装着が確認され、メモリ２０に記録されているデータの読み出し等の所定の処理を実行している旨のガイダンス画面（図５Ｂ（ｄ））、すなわち、データ処理の進行状況を表示パネル２ｐに表示する（ステップＳ２０５）。
【００４１】
その後、所定の処理が終了すると、制御部１５は、メモリ２０に記録されている画像データのうちプリントする画像データを選択するように指示するガイダンス画面（図５Ｃ（ｅ））を表示パネル２ｐに表示する（ステップＳ２０６）。
【００４２】
次に、図２Ｂ（ｄ）に示すように、ユーザが選択画面を利用してプリントする画像データを選択すると、さらに、制御部１５は、プリントする用紙サイズを選択するように指示するガイダンス画面（図５Ｃ（ｆ））を表示パネル２ｐに表示する。ユーザは、この選択画面を見ながら用紙サイズを選択する（ステップＳ２０７）。
なお、表示パネル２ｐに表示される操作指示に従って行う入力操作は、操作キー２ｏのキー入力やタッチパネル方式等任意の方式で行ってもよい。
【００４３】
ユーザによる用紙サイズの選択が終了すると、制御部１５は、カバー部３を閉じるように指示するガイダンス画面（図５Ｄ（ｇ））と所定の料金をコインベンダ（図示しない）に投入するように指示するガイダンス画面（図５Ｄ（ｈ））等を表示パネル２ｐに表示する（ステップＳ２０８）。
【００４４】
次に、図２Ｃ（ｅ）に示すように、ユーザがカバー部３を閉じると（ステップＳ２０９）、カバー開閉検出部５は、カバー部３が閉じられたことを検出し、プリント部１１ａは、選択された画像データのプリント処理を開始し（ステップＳ２１０）、制御部１５は、現在、プリント中である旨のガイダンス画面（図５Ｅ（ｉ））を案内表示部１ｄに表示する。
【００４５】
なお、カバー部３が閉じられたと同時に、表示パネル２ｐの表示動作をオフにする。
また、カバー部３は、所定の操作の後に自動的に閉じるようにしてもよい。
【００４６】
このように、メモリ２０に記録されている画像データを複合機１０に転送している間は、メモリ２０はカバー部３に覆われているので、ユーザはメモリ２０を抜き取ることができない。そのため、画像データ転送中に、メモリ２０を抜くことにより、メモリ２０及びメモリ２０に記録されているデータが破壊されることがなくなる。
また、カバー部３を閉じると同時に、今まで表示されていた表示パネル２ｐの表示動作が終了するので、消費する電力が少なくなる（省電化）。
【００４７】
また、カバー部３の閉鎖状態を保持するロック装置を設け、ユーザがメモリ２０を装着してカバー部３を閉じたときに、ロック装置の操作を促すガイダンス画面を案内表示部１ｄに表示してもよい。さらに、自動的にロック装置を作動させ強制的にカバー部３をロックしてもよい。
このようにすれば、プリント中にユーザが誤ってカバーを開き、装着したメモリ２０を抜き取る恐れがなくなる。
【００４８】
プリント処理が完了すると（ステップＳ２１１：ＹＥＳ）、制御部１５は、プリント処理が完了したのでカバー部３を開いて装着したメモリ２０を抜くように指示するガイダンス画面（図５Ｅ（ｊ））を案内表示部１ｄに表示する（ステップＳ２１２）。
【００４９】
次に、図２Ｃ（ｆ）に示すように、ユーザがカバー部３を開くと（ステップＳ２１３）、カバー開閉検出部５は、カバー部３が開かれたことを検出し、制御部１５は、装着したメモリを示し、メモリを抜くように指示するガイダンス画面（図５Ｆ（ｋ））を表示パネル２ｐに表示する（ステップＳ２１４）。
【００５０】
このように、カバー部３の開閉に連動して複合機１０に装着したメモリ２０の着脱を指示するガイダンス画面を表示するので、ユーザは、メモリ２０をいつ着脱すればよいか容易に理解でき、操作性が向上する。
また、ユーザがメモリを抜き忘れることがなくなる。
【００５１】
次に、図２Ｄ（ｇ）に示すように、ユーザがメモリ２０をメモリ装着部４から抜くと（ステップＳ２１５）、メモリ装着部４のメモリ着脱検出部４ｄがメモリ２０の抜き取りを検出し、制御部１５は、ユーザにカバー部３を閉じるように指示するガイダンス画面（図５Ｆ（ｌ））を表示パネル２ｐに表示する（ステップＳ２１６）。
【００５２】
このように、通常の状態ではメモリ装着部４はカバー部３に覆われており、メモリ２０を着脱する間だけ、メモリ装着部４が外部と接することになるため、メモリ装着部４のメモリリーダ内にゴミや異物等が進入してメモリリーダの性能に悪影響を与える可能性を極力排除できる。
【００５３】
次に、図２Ｄ（ｈ）に示すように、ユーザがカバー部３を閉じると（ステップＳ２１７）、カバー開閉検出部５は、カバー部３が閉じられたことを検出し、制御部１５は、プリント処理の全課程が終わった旨のガイダンス画面（図５Ｇ（ｍ），図５Ｇ（ｎ））を案内表示部１ｄに表示する（図４ＡのステップＳ５）。
【００５４】
なお、メモリ２０を抜き忘れてカバー部３を閉じた場合、メモリ２０の抜き忘れを表示すると共に報知音を出力してもよい。
また、プリント処理では、画像データをプリントする場合について説明したが、画像データだけではなく、ワープロ，表計算等の各種アプリケーションによって作成されたデータの印刷もできる。
【００５５】
（メモリダウンロード）
インターネットに接続された複合機１０をファイルサーバとして機能させ、ユーザが該複合機１０にデータを転送し、転送後、パスワードの入力等によるユーザ認証が成功した場合には、この転送データ（ＨＤＤ１２に記録されている）を複合機１０に装着されたメモリ２０にダウンロードするメモリダウンロードについて図４Ｃを用いて説明する。
【００５６】
図４Ｃは、メモリダウンロード時に表示されるガイダンス画面及びユーザの操作を説明するためのフロー図である。なお、ここでは、ユーザは既に複合機１０にデータを転送していることを前提にして説明する。
【００５７】
ユーザがガイダンス画面（図５Ａ（ａ））からメモリダウンロードを選択すると（図４ＡのステップＳ３：メモリダウンロードを選択）、図４Ｂで説明したように、ユーザがメモリ２０を複合機１０に装着する（ステップＳ３０１〜ステップＳ３０４：図４ＢのステップＳ２０１〜ステップＳ２０４に相当）。
すると、制御部１５は、ユーザＩＤとパスワードの入力画面（図５Ｈ（ｏ））を表示パネル２ｐに表示し、ユーザＩＤとパスワードを入力するように指示する（ステップＳ３０５）。
【００５８】
次に、図２Ｂ（ｄ）に示すように、ユーザＩＤとパスワードを入力し（ステップＳ３０６）、パスワード認証が成功すると、メモリダウンロードするデータを選択するように指示するガイダンス画面（図５Ｈ（ｐ））を表示パネル２ｐに表示する（ステップＳ３０７）。ユーザは、この選択画面を見ながらメモリダウンロードするデータを選択する（ステップＳ３０８）。
【００５９】
ユーザによるメモリダウンロードするデータの選択が終了すると、制御部１５は、カバー部３を閉じるように指示するガイダンス画面（図５Ｄ（ｇ））と所定の料金をコインベンダ（図示しない）に投入するように指示するガイダンス画面（図５Ｄ（ｈ））を表示パネル２ｐに表示する（ステップＳ３０９）。
【００６０】
ユーザがカバー部３を閉じると（ステップＳ３１０）、メモリダウンロード部１１ｃは、選択したデータをメモリ２０にダウンロードする処理を開始し（ステップＳ３１１）、完了後（ステップＳ３１２：ＹＥＳ）、前述したようにガイダンス画面に従い、ユーザは装着したメモリ２０を抜き取り、カバー部３を閉じる（ステップＳ３１３〜ステップＳ３１８：図４ＢのステップＳ２１２〜ステップＳ２１７に相当）。
【００６１】
（スキャンメモリコピー）
ここで、読み取った（スキャン）原稿を画像データ等としてメモリにコピーする処理について図４Ｄを用いて説明する。
【００６２】
図４Ｄは、スキャンメモリコピー時に表示されるガイダンス画面及びユーザの操作を説明するためのフロー図である。
ガイダンス画面（図５Ａ（ａ））からスキャンメモリコピーを選択すると（図４ＡのステップＳ４：スキャンメモリコピーを選択）、制御部１５は、スキャンする原稿を自動原稿給送装置１０ｂにセットし、スキャン開始キーを押すように指示するガイダンス画面（図５Ｉ（ｑ））を案内表示部１ｄに表示する（ステップＳ４０１）。
【００６３】
ユーザが原稿を自動原稿給送装置１０ｂにセットし、スキャン開始キーを押すと（ステップＳ４０２）、スキャン部１１ｂは、スキャン処理を開始し、スキャンした原稿データを順次、ＨＤＤ１２又はＲＯＭ１４に一時的に記録する。スキャン処理が完了すると（ステップＳ４０３：ＹＥＳ）、ユーザはカバー部３を開き、メモリ２０を複合機１０に装着し、カバー部３を閉じる（ステップＳ４０４〜ステップＳ４０９：図４ＢのステップＳ２０１〜ステップＳ２０４,ステップＳ２０８,ステップＳ２０９に相当）。なお、開閉可能な原稿押え１０ｃを開き、原稿をセットして、セットした原稿をスキャンするようにしてもよい。
【００６４】
ユーザがカバー部３を閉じると（ステップＳ４０９）、スキャンメモリコピー部１１ｄは、ＨＤＤ１２又はＲＯＭ１４に一時的に記録したデータをメモリ２０にコピーする処理を開始し（ステップＳ４１０）、メモリコピー処理が完了すると（ステップＳ４１１：ＹＥＳ）、前述したようにガイダンス画面に従い、ユーザは装着したメモリ２０を抜き取り、カバー部３を閉じる（ステップＳ４１２〜ステップＳ４１７：図４ＢのステップＳ２１２〜ステップＳ２１７に相当）。
【００６５】
なお、原稿を読み取るスキャン操作の前にメモリ２０を装着し、カバー部３を閉じた後に一連のスキャン操作をするようにしてもよい。
【００６６】
（コピー）
なお、ガイダンス画面（図５Ａ（ａ））に複合機１０の１機能であるコピー（機能）を表示し、コピーを選択した場合には、制御部１５は、コピー用ガイダンス画面（図５Ｊ（ｒ）,図５Ｊ（ｓ））を第１の表示装置１０ａ又は案内表示部１ｄに表示することもできる。
【００６７】
また、コピー機能等（メモリ２０を使用しない機能）の選択表示は第１の表示装置１０ａに表示し、第１の表示装置１０ａを参照しながら複合機１０を操作できるようにしてもよい。
さらに、案内表示部１ｄに表示される表示データの一部又は全てを第１の表示装置１０ａに表示してもよい。
【００６８】
本実施例では、カバー部３の開閉機構として、ヒンジ機構による開閉を例示したが、スライド式のカバー部にしてもよく、さまざま開閉機構を採用できる。
【００６９】
また、本実施例では、メモリ２０をメモリ装着部４に装着したが、非接触型メモリに対しても本発明を適用できる。
【図面の簡単な説明】
【００７０】
【図１】複合機の外観を示した図である。
【図２Ａ】第２の表示装置の拡大図である。
【図２Ｂ】ユーザが第２の表示装置を操作している様子を示す第１の図である。
【図２Ｃ】ユーザが第２の表示装置を操作している様子を示す第２の図である。
【図２Ｄ】ユーザが第２の表示装置を操作している様子を示す第３の図である。
【図３】複合機１０のブロック図である。
【図４Ａ】ユーザが複合機の各種機能を選択する処理を説明するためのフロー図である。
【図４Ｂ】プリント処理時に表示されるガイダンス画面及びユーザの操作を説明するためのフロー図である。
【図４Ｃ】メモリダウンロード時に表示されるガイダンス画面及びユーザの操作を説明するためのフロー図である。
【図４Ｄ】スキャンメモリコピー時に表示されるガイダンス画面及びユーザの操作を説明するためのフロー図である。
【図５Ａ】第１のガイダンス画面である。
【図５Ｂ】第２のガイダンス画面である。
【図５Ｃ】第３のガイダンス画面である。
【図５Ｄ】第４のガイダンス画面である。
【図５Ｅ】第５のガイダンス画面である。
【図５Ｆ】第６のガイダンス画面である。
【図５Ｇ】第７のガイダンス画面である。
【図５Ｈ】第８のガイダンス画面である。
【図５Ｉ】第９のガイダンス画面である。
【図５Ｊ】第１０のガイダンス画面である。
【符号の説明】
【００７１】
１ｄ…案内表示部、２ｉ…操作指示部、２ｏ…操作キー、２ｐ…表示パネル、３…カバー部、４…メモリ装着部、５…カバー開閉検出部、１０…複合機、１０ａ…第１の表示装置、１０ｂ…自動原稿給送装置、１０ｃ…原稿押え、１０ｄ…第２の表示装置、１１…データ処理部、１１ａ…プリント部、１１ｂ…スキャン部、１１ｃ…メモリダウンロード部、１１ｄ…スキャンメモリコピー部、１１ｅ…コピー部、１１ｆ…ファックス部、１１ｇ…電子メール送受信部、１２…ＨＤＤ、１３…ＲＡＭ、１４…ＲＯＭ、１５…制御部、２０…メモリ。
【図１】
2008167185.tif 000003
【図２Ａ】
2008167185.tif 000004
【図２Ｂ】
2008167185.tif 000005
【図２Ｃ】
2008167185.tif 000006
【図２Ｄ】
2008167185.tif 000007
【図３】
2008167185.tif 000008
【図４Ａ】
2008167185.tif 000009
【図４Ｂ】
2008167185.tif 000010
【図４Ｃ】
2008167185.tif 000011
【図４Ｄ】
2008167185.tif 000012
【図５Ａ】
2008167185.tif 000013
【図５Ｂ】
2008167185.tif 000014
【図５Ｃ】
2008167185.tif 000015
【図５Ｄ】
2008167185.tif 000016
【図５Ｅ】
2008167185.tif 000017
【図５Ｆ】
2008167185.tif 000018
【図５Ｇ】
2008167185.tif 000019
【図５Ｈ】
2008167185.tif 000020
【図５Ｉ】
2008167185.tif 000021
【図５Ｊ】
2008167185.tif 000022